(57)【特許請求の範囲】
【請求項１】
通信方法であって、前記方法は、
基地局によって、第1のアンテナのカバレッジエリアを少なくとも2つのセルに分割するステップであって、前記基地局は少なくとも1つのアンテナを有し、前記第1のアンテナは前記少なくとも1つのアンテナのうちのいずれか1つである、ステップと、
前記基地局によって、前記少なくとも2つのセルの、時間周波数リソース上で搬送されるデータを前記第1のアンテナのチャネルにマッピングするために、前記少なくとも2つのセルの、前記時間周波数リソース上で搬送される前記データに対してウェイト処理を実行するステップと、
前記基地局によって、合成データを得るために、前記少なくとも2つのセルの、前記時間周波数リソース上で搬送される、前記ウェイト処理後に得られた前記データを合成するステップと、
前記基地局によって、前記第1のアンテナを用いて、少なくとも2つの指向性ビームを送信するステップであって、前記少なくとも2つの指向性ビームは前記合成データを送信するために使用され、前記少なくとも2つの指向性ビームは異なる方向を有し、前記少なくとも2つの指向性ビームは前記少なくとも2つのセルと1対1に対応し、前記少なくとも2つの指向性ビームのビーム方向は、前記指向性ビームに対応するセル内の全端末の位置分布に従って、前記基地局によって向けられる、ステップ、または
前記基地局によって、前記第1のアンテナを使用することによって、1つの指向性ビームを送信するステップであって、前記指向性ビームは前記合成データを送信するために使用され、前記指向性ビームのビーム方向は、前記少なくとも2つのセル内の単一の端末の位置に従って、前記基地局によって向けられる、ステップと、
を含む方法であって、
前記ウェイト処理を実行する前記ステップは、
前記基地局によって、時間周波数リソースから前記第1のアンテナの各チャネルにマッピングされたデータを得るために、各セルの前記時間周波数リソース上で搬送されるデータに前記セルの指向性ビームウェイトベクトルを乗算するステップを含み、
前記乗算するステップは、
前記基地局によって、各セルの前記時間周波数リソース上で搬送される前記データに前記セルのセルビームウェイトベクトルを乗算するステップであって、前記セルビームウェイトベクトルは、対応するセルをカバーするまたは対応するセルのエリアの一部をカバーする指向性ビームを形成するために使用される、ステップ、または
前記基地局によって、各セルの前記時間周波数リソースブロック上で搬送される前記データに前記セルのサービスビームウェイトベクトルを乗算するステップであって、前記サービスビームウェイトベクトルは、前記セル内の端末に向けられた指向性ビームを形成するために使用される、ステップ、
を含み、
前記指向性ビームウェイトベクトルは、前記指向性ビームの送信電力を制御するためにさらに使用され、前記送信電力は、ネットワーク重要性能インジケータKPIに従って決定される、
方法。
【請求項２】
前記サービスビームウェイトベクトルは、前記セル内の時間周波数領域リソースが割り当てられた端末のチャネルの特徴分解によって得られたビームウェイトであり、または前記サービスビームウェイトベクトルは、前記セル内の時間周波数領域リソースが割り当てられた端末によってフィードバックされたウェイトコードブックである、請求項1に記載の方法。
【請求項３】
前記少なくとも2つのセルが同じ周波数帯域を使用し、または前記少なくとも2つのセルが非重複の周波数帯域を使用する、請求項1に記載の方法。
【請求項４】
前記基地局によって、前記少なくとも2つのセルの、前記時間周波数リソース上で搬送される前記データを合成する前記ステップは、
前記少なくとも2つのセルが同じ周波数帯域を使用する場合、同じ周波数のデータを次の式に従って処理するステップであって、（s1＋s2＋．．．＋Sn）＊ejw0t、ここで、nは前記第1のアンテナによってカバーされるセルの量を表し、n≧2、S1〜Snは全セルからの信号を表し、w0はS1〜Snの周波数情報であり、ejw0tは周波数がw0であるキャリアに信号が変調されていることを表す、ステップ、または、
前記少なくとも2つのセルが非重複の周波数帯域を使用する場合、異なる周波数のデータを次の式に従って処理するステップであって、S1＊ejw1t＋S2＊ejw2t＋．．．＋Sn＊ejwnt、ここで、nは前記第1のアンテナによってカバーされるセルの量を表し、n≧2、S1〜Snは全セルからの信号を表し、w1はS1の周波数情報であり、w2はS2の周波数情報であり、．．．、wnはSnの周波数情報であり、ejwntは周波数がwnであるキャリアに信号が変調されていることを表す、ステップ、
を含む、請求項1から3のいずれか一項に記載の方法。
【請求項５】
通信装置であって、前記装置は、
基地局の第1のアンテナのカバレッジエリアを少なくとも2つのセルに分割し、前記基地局は少なくとも1つのアンテナを有し、前記第1のアンテナは前記少なくとも1つのアンテナのうちのいずれか1つであり、前記少なくとも2つのセルの、時間周波数リソース上で搬送されるデータを前記第1のアンテナのチャネルにマッピングするために、前記少なくとも2つのセルの、前記時間周波数リソース上で搬送される前記データに対してウェイト処理を実行し、合成データを得るために、前記少なくとも2つのセルの、前記時間周波数リソース上で搬送され、前記ウェイト処理後に得られた前記データを合成するように構成された処理モジュールと、
前記第1のアンテナを用いて、少なくとも2つの指向性ビームを送信し、前記少なくとも2つの指向性ビームは前記処理モジュールによって得られた前記合成データを送信するために使用され、前記少なくとも2つの指向性ビームは異なる方向を有し、前記少なくとも2つの指向性ビームは前記少なくとも2つのセルと1対1に対応し、前記少なくとも2つの指向性ビームのビーム方向は、前記指向性ビームに対応するセル内の全端末の位置分布に従って向けられ、または、前記第1のアンテナを使用することによって、1つの指向性ビームを送信し、前記指向性ビームは前記処理モジュールによって得られた前記合成データを送信するために使用され、前記指向性ビームのビーム方向は、前記少なくとも2つのセル内の単一の端末の位置に従って向けられるように構成された送信モジュールと、
を含む、通信装置であって、
前記処理モジュールは、時間周波数リソースから前記第1のアンテナの各チャネルにマッピングされたデータを得るために、各セルの前記時間周波数リソース上で搬送されるデータに前記セルのセルビームウェイトベクトルを乗算するように特に構成され、
前記セルビームウェイトベクトルは、対応するセルをカバーする、または対応するセルの一部のエリアをカバーする指向性ビームを形成するために使用され、あるいは各セルの前記時間周波数リソースブロック上で搬送される前記データに前記セルのサービスビームウェイトベクトルを乗算し、前記サービスビームウェイトベクトルは、前記セル内の端末に向けられた指向性ビームを形成するために使用されるように特に構成され、
前記セルビームウェイトベクトルは、前記指向性ビームの送信電力を制御するためにさらに使用され、前記送信電力は、ネットワーク重要性能インジケータKPIに従って決定される、
装置。
【請求項６】
前記サービスビームウェイトベクトルは、前記セル内の時間周波数領域リソースが割り当てられた端末のチャネルの特徴分解によって得られたビームウェイトであり、または前記サービスビームウェイトベクトルは、前記セル内の時間周波数領域リソースが割り当てられた端末によってフィードバックされたウェイトコードブックである、請求項5に記載の装置。
【請求項７】
前記少なくとも2つのセルが同じ周波数帯域を使用し、または前記少なくとも2つのセルが非重複の周波数帯域を使用する、請求項5または6に記載の装置。
【請求項８】
前記処理モジュールは、
前記少なくとも2つのセルが同じ周波数帯域を使用する場合、同じ周波数のデータを次の式に従って処理し、（s1＋s2＋．．．＋Sn）＊ejw0t、ここで、nは前記第1のアンテナによってカバーされるセルの量を表し、n≧2、S1〜Snは全セルからの信号を表し、w0はS1〜Snの周波数情報であり、ejw0tは周波数がw0であるキャリアに信号が変調されていることを表すか、または、
前記少なくとも2つのセルが非重複の周波数帯域を使用する場合、異なる周波数のデータを次の式に従って処理し、S1＊ejw1t＋S2＊ejw2t＋．．．＋Sn＊ejwnt、ここで、nは前記第1のアンテナによってカバーされるセルの量を表し、n≧2、S1〜Snは全セルからの信号を表し、w1はS1の周波数情報であり、w2はS2の周波数情報であり、．．．、wnはSnの周波数情報であり、ejwntは周波数がwnであるキャリアに信号が変調されていることを表すように特に構成される、請求項5から7のいずれか一項に記載の装置。
【請求項９】
コンピュータに請求項1から4のいずれか一項に記載の方法を実行させるプログラムが記録された、コンピュータ可読媒体。
【発明の詳細な説明】
【技術分野】
【０００１】
本願は、2015年10月29日に中国特許庁に提出された「COMMUNICATIONS METHOD AND APPARATUS」という名称の中国特許出願第201510715884．3号に基づく優先権を主張し、その全体が参照により本明細書に組み込まれる。
【０００２】
本発明は、移動通信技術の分野に関し、特に、通信方法および装置に関する。
【背景技術】
【０００３】
セルラ通信ネットワークは、移動通信システムの主要なネットワーキングモードである。移動体通信技術の発展に伴い、ユーザの要求を満たすために、通信ネットワーク容量を大幅に改善する必要がある。
【０００４】
セルラ通信ネットワークのネットワーク容量を向上させるために、マルチセクタネットワーキングモードをネットワーキング中に使用することができる。マルチセクタネットワーキングモードでは、各基地局は複数の指向性アンテナを備え、複数の指向性アンテナは異なる方向を有する。基地局のカバレッジエリアは、複数の物理セクタに分割され、各物理セクタは独自の送信および受信アンテナを有する。基地局の各物理セクタ毎にセルが設定され、セル毎に無線リソースが設定される。基地局は、各セルの無線リソースをセルにキャンプオンしているユーザ装置に割り当て、次にビームおよび対応するユーザ装置を使用して、ユーザ装置に割り当てられた無線リソース上で搬送されるデータを送信するために、ビームフォーミングによりビームをユーザ装置に向けるためにセルに対応する指向性アンテナを用いる。すべてのセルに対応する指向性アンテナは異なる方向を有する、すなわち放射ビームは異なる方向を有する。したがって、これらのセルは互いに干渉することなく同じ周波数帯域または近い周波数帯域を使用することができ、スペクトルリソースを再利用してネットワーク容量を向上させることができる。
【０００５】
ユーザ数が連続的に増加するにつれて、移動通信システムのネットワーク容量に対する要求が劇的に増加する。現在、ネットワーク容量を改善するために従来のマルチセクタネットワーキング技術を使用する方法は、ユーザ要求を満たすことができない。
【発明の概要】
【０００６】
従来技術における通信システムの限られたネットワーク容量に関する問題を解決するために、本発明の実施形態は、通信方法および装置を提供する。技術的な解決策は次のとおりである。
【課題を解決するための手段】
【０００７】
第1の態様によれば、本発明の一実施形態は、通信方法を提供し、この方法は、
基地局によって、第1のアンテナのカバレッジエリアを少なくとも2つのセルに分割するステップと、基地局によって、少なくとも2つのセルの時間周波数リソース上で搬送されるデータに対してウェイト処理を実行するステップと、基地局によって、合成データを得るために、少なくとも2つのセルの時間周波数リソース上で搬送され、ウェイト処理の後に得られるデータを合成するステップと、基地局によって、第1のアンテナを用いて少なくとも2つの指向性ビームを送信するステップであって、少なくとも2つの指向性ビームは合成データを送信するために使用され、少なくとも2つの指向性ビームは異なる方向を有し、少なくとも2つの指向性ビームは少なくとも2つのセルと1対1に対応し、少なくとも2つの指向性ビームのビーム方向は、前記基地局によって指向性ビームに対応するセル内の全端末の位置分布に従って向けられる、ステップ、または、基地局によって、第1のアンテナを使用することによって、1つの指向性ビームを送信し、ここで、指向性ビームは合成データを送信するために使用され、指向性ビームのビーム方向は、基地局によって、少なくとも2つのセル内の単一の端末の位置に従って向けられる、ステップと、
を含む。
【０００８】
したがって、上記の技術的解決策に基づいて、基地局は、異なる方向を有し、第1のアンテナによって送信される少なくとも2つのビームを用いて、少なくとも2つのセルのデータを送信する。第1のアンテナによって送信される少なくとも2つのビームは、第1のアンテナのカバレッジエリアを分割することによって得られる少なくとも2つのセルと1対1に対応する。これらのセルは、独自の送信帯域幅を有している。アンテナのカバレッジエリアについては、使用可能な総送信帯域幅が劇的に増加し、それによりネットワーク容量が改善される。
【０００９】
第1の態様の実施方法では、基地局によって、少なくとも2つのセルの時間周波数リソース上で搬送されるデータに対してウェイト処理を実行するステップは、
基地局によって、時間周波数リソースから第1のアンテナの各チャネルにマッピングされたデータを得るために、各セルの時間周波数リソース上で搬送されたデータにセルの指向性ビームウェイトベクトルを乗算するステップ
を含む。
【００１０】
第1の態様の別の実施方法では、基地局によって、時間周波数リソースから第1のアンテナの各チャネルにマッピングされたデータを取得するために、各セルの時間周波数リソース上で搬送されたデータにセルの指向性ビームウェイトベクトルを乗算するステップは、
基地局によって、各セルの時間周波数リソース上で搬送されたデータにセルのセルビームウェイトベクトルを乗算し、セルビームウェイトベクトルは、対応するセルをカバーする、または対応するセルのエリアの一部をカバーする指向性ビームを形成するために使用される、ステップ、または
基地局によって、各セルの時間周波数リソースブロック上で搬送されたデータにセルのサービスビームウェイトベクトルを乗算し、サービスビームウェイトベクトルは、セル内の端末に向けられた指向性ビームを形成するために使用される、ステップ
を含む。
【００１１】
基地局は、各セルの時間周波数リソース上で搬送されるデータに、異なる指向性ビームウェイトベクトルを乗算する。最後に、実際の要求に応じて、セルをカバーする指向性ビームまたは端末を指向する指向性ビームを形成することができる。
【００１２】
好ましくは、指向性ビームウェイトベクトルは、指向性ビームの送信電力を制御するためにさらに使用され、送信電力は、ネットワーク重要性能インジケータKPIに従って決定される。重要性能インジケータは、セル内の端末分布、サービスタイプ、トラフィック負荷などを含む。指向性ビームが最適なカバレッジおよび最適な容量利得を達成できるように、指向性ビームの送信電力はKPIに従って決定され、さらに、送信電力に対応する指向性ビームウェイトベクトルが決定される。
【００１３】
第1の態様の別の実施方法では、基地局によって、少なくとも2つのセルの時間周波数リソース上で搬送されるデータを合成するステップは、
少なくとも2つのセルが同じ周波数帯域を使用する場合、同じ周波数のデータを次の式に従って処理するステップであって、（s1＋s2＋．．．＋Sn）＊ejw0t、ここで、nは第1のアンテナによってカバーされるセルの量を表し、n≧2、S1〜Snは全セルからの信号を表し、w0はS1〜Snの周波数情報であり、ejw0tは周波数がw0であるキャリアに信号が変調されていることを表す、ステップ、または、
少なくとも2つのセルが非重複の周波数帯域を使用する場合、異なる周波数のデータを次の式に従って処理するステップであって、S1＊ejw1t＋S2＊ejw2t＋．．．＋Sn＊ejwnt、ここで、nは第1のアンテナによってカバーされるセルの量を表し、n≧2、S1〜Snは全セルからの信号を表し、w1はS1の周波数情報であり、w2はS2の周波数情報であり、．．．、wnはSnの周波数情報であり、ejwntは周波数がwnであるキャリアに信号が変調されていることを表す、ステップ
を含む。
【００１４】
すなわち、同じアンテナによってカバーされる少なくとも2つのセルは、同じ周波数帯域を使用することができる、または非重複の周波数帯域を使用することができる。
【００１５】
第2の態様によれば、本発明の一実施形態は、通信方法を提供し、この方法は、
基地局によって、第2のアンテナのカバレッジエリアを少なくとも2つのセルに分割するステップであって、基地局は少なくとも1つのアンテナを有し、第2のアンテナは少なくとも1つのアンテナのうちのいずれか1つである、ステップと、
基地局によって、第2のアンテナを用いて信号を受信するステップと、少なくとも2つのセルの受信データを得るために、第2のアンテナの全チャネルによって受信された信号を基地局によって処理するステップと、
を含む。
【００１６】
したがって、上記の技術的解決策に基づいて、基地局は、第2のアンテナを用いて少なくとも2つのセルの信号を受信する。これらのセルは、独自の送信帯域幅を有している。アンテナのカバレッジエリアについては、使用可能な総送信帯域幅が劇的に増加し、それによりネットワーク容量が改善される。
【００１７】
第2の態様の実施方法では、基地局によって、少なくとも2つのセルの受信データを得るために、第2のアンテナの全チャネルによって受信された信号を処理するステップは、
セル単位内の基地局によって、第2のアンテナの全チャネルによって受信された信号に対して単一セル処理を別々に実行するステップ、または
基地局によって、第2のアンテナの全チャネルによって受信された信号に対してジョイント検出処理を同時に実行するステップ、
を含む。
【００１８】
したがって、基地局は、少なくとも2つのセルの受信データを得るために、第2のアンテナによって受信された信号をユニークに処理することができる。
【００１９】
第3の態様によれば、本発明の実施形態は、第1の態様による方法を実行するように構成されたモジュールを含む通信装置を提供する。
【００２０】
第4の態様によれば、本発明の実施形態は、第2の態様による方法を実行するように構成されたモジュールを含む通信装置を提供する。
【００２１】
第5の態様によれば、本発明の一実施形態は、メモリ、通信インタフェース、ならびにメモリおよび通信インタフェースに接続されたプロセッサを含む通信装置を提供する。メモリは命令を格納するように構成され、プロセッサは命令を実行するように構成され、通信インタフェースはプロセッサの制御下で通信を実行するように構成される。命令を実行するとき、プロセッサは、第1の態様による方法を実行することができる。
【００２２】
第6の態様によれば、本発明の一実施形態は、メモリ、通信インタフェース、ならびにメモリおよび通信インタフェースに接続されたプロセッサを含む通信装置を提供する。メモリは命令を格納するように構成され、プロセッサは命令を実行するように構成され、通信インタフェースはプロセッサの制御下で通信を実行するように構成される。命令を実行するとき、プロセッサは、第2の態様による方法を実行することができる。
【００２３】
第7の態様によれば、本発明の一実施形態は、通信装置によって実行されるプログラムコードを格納するように構成されたコンピュータ可読媒体を提供し、プログラムコードは、第1の態様による方法を実行するために使用される命令を含む。
【００２４】
第8の態様によれば、本発明の一実施形態は、通信装置によって実行されるプログラムコードを格納するように構成されたコンピュータ可読媒体を提供し、プログラムコードは、第2の態様による方法を実行するために使用される命令を含む。
【００２５】
本発明の実施形態で提供される技術的解決策は、以下の有益な効果をもたらす。
【００２６】
基地局は、異なる方向を有し、第1のアンテナによって送信される少なくとも2つのビームを用いて、少なくとも2つのセルのデータを送信する。第1のアンテナによって送信される少なくとも2つのビームは、第1のアンテナのカバレッジエリアを分割することによって得られる少なくとも2つのセルと1対1に対応する。これらのセルは、独自の送信帯域幅を有している。アンテナのカバレッジエリアについては、使用可能な総送信帯域幅が劇的に増加し、それによりネットワーク容量が改善される。さらに、セルをカバーするビームは、ベースバンド信号を処理することによって指向される。したがって、本発明の実施形態は、既存の基地局アンテナ構造に基づいて実施することができ、アンテナシステムのハードウェアコストが増加しない。
【００２７】
本発明の実施形態の技術的解決策をより明確に説明するために、実施形態を説明するために必要な添付図面を以下に簡単に説明する。明らかに、以下の説明における添付の図面は、本発明のいくつかの実施形態を示すに過ぎず、当業者は創造的な努力なしにこれらの添付図面から他の図面を得てもよい。
【図面の簡単な説明】
【００２８】
【図１ａ】従来技術で提供されるネットワーキング構造の概略図である。
【図１ｂ】本発明の一実施形態によるネットワーク構造の概略図である。
【図２】本発明の一実施形態による通信方法のフローチャートである。
【図３】本発明の一実施形態による別の通信方法のフローチャートである。
【図４ａ】本発明の一実施形態による2つのセルのビームの概略図である。
【図４ｂ】本発明の一実施形態による2つのセルの周波数構成の概略図である。
【図５】本発明の実施形態によるさらに別の通信方法のフローチャートである。
【図６】本発明の一実施形態による通信装置の概略構成図である。
【図７】本発明の一実施形態による通信装置の別の概略構成図である。
【図８】本発明の一実施形態による通信装置のさらに別の概略構成図である。
【図９】本発明の一実施形態による通信装置のさらに別の概略構成図である。
【発明を実施するための形態】
【００２９】
以下、本発明の実施形態における技術的解決策を、本発明の実施形態における添付図面を参照しながら、明確かつ完全に説明する。明らかに、記載された実施形態は、本発明の実施形態のすべてではなく一部である。創造努力なしに本発明の実施形態に基づいて当業者によって得られる他のすべての実施形態は、本発明の保護範囲内に入るものとする。
【００３０】
本発明の解決策の理解を容易にするために、以下では、本発明のネットワーキング構造を説明するためにセルラ通信システムを例として使用する。
【００３１】
本発明の実施形態におけるセルラ通信システムは、汎欧州デジタル移動電話方式（Global System of Mobile communication、略して「GSM（登録商標）」）システム、符号分割多元接続（Code Division Multiple Access、略して「CDMA」）システム、広帯域符号分割多元接続（Wideband Code Division Multiple Access、略して「WCDMA（登録商標）」）システム、一般的なパケット無線サービス（General Packet Radio Service、略して「GPRS」）、ロングタームエボリューション（Long Term Evolution、略して「LTE」）システム、LTE周波数分割複信（Frequency Division Duplex、略して「FDD」）システム、LTE時分割複信（Time Division Duplex、略して「TDD」）およびユニバーサル移動体通信システム（Universal Mobile Telecommunication System、略して「UMTS」）、ワールドワイド・インターオペラビリティ・フォー・マイクロウェーブ・アクセス（Worldwide Interoperability for Microwave Access、略して「WiMAX」）通信システムなどを含むがこれに限定される様々な通信システムに適用されてもよいことを理解されたい。
【００３２】
セルラ通信ネットワークでは、基地局は、セルカバレッジを実施するために全方向性アンテナを使用してもよいし、セルカバレッジを実施するために複数の指向性アンテナを使用してもよい。本発明の実施形態では、セルカバレッジを実施するために120度指向性アンテナを用いる基地局について詳細に説明し、すなわち、基地局は3つの指向性アンテナを備え、3つの指向性アンテナはそれぞれ異なる方向を有し、各アンテナは120度の範囲をカバーする。本発明の実施形態では、指向性アンテナは、単一のアンテナであってもよく、複数のアンテナユニットを含むスマートアンテナであってもよい。
【００３３】
図1aは、既存の3セクタ・セルラネットワーキングモードを示す。図1aにおいて、三角は基地局を表す。図1aに示すように、基地局のカバレッジエリアは、六角形に分割され、各六角形は、セルに対応する。各基地局は、3つの六角形の共通の交差接続点に配置される。1つの指向性アンテナは1つのセル（すなわち、1つの六角形）に対応し、1つの基地局は3つのセルをカバーすることができる。3つのセルの送信帯域幅はすべてa MHzに設定されているものとする。
【００３４】
図1bは、本発明のセルラネットワーキング構造を示す。図1bでは、同様に、基地局を表すために三角形が使用される。図1bにおいて、三角形から延長する黒い太線はアンテナを表す。具体的には、基地局4を例に挙げる。図1bに示すように、基地局4は、3つの指向性アンテナ1a、1bおよび1cを有する。基地局4は、六角形10の中央エリアに配置されている。各指向性アンテナのカバレッジエリアは2つのセルに分割されており、例えば、指向性アンテナ1aのカバレッジエリアをセル11aおよび11bに分割することにより、基地局1は6つのセル（7つの六角形に相当）をカバーすることができる。図1bから、セル11aもセル11bも正六角形ではないことがわかる。しかし、一緒に形成されるとき、複数の標準セルラの組を形成するように、複数のセルが六角形として量子化されてもよい。
【００３５】
図1bに示すネットワーキングモードでは、指向性アンテナによって送信されたビームに対して空間方向処理が行われるので、1つの指向性アンテナが2方向のビームを生成することができる。一方向のビームは1つのセルをカバーするので、1つの指向性アンテナは2つのセルをカバーすることができる。図1bでは、1つのアンテナのカバレッジエリアが2つのセルをカバーすることができる。各セルの送信帯域幅は、別々に設定されてもよい（例えば、a MHzに設定されてもよい）。この場合、1つの指向性アンテナのカバレッジエリアの送信帯域幅は2a MHzであり、図1aに示す1つのアンテナのカバレッジエリアの送信帯域幅（a MHz）の2倍である。すなわち、1つのアンテナのカバレッジエリアでは、送信帯域幅が2倍になる。より高い伝送帯域幅がより大きいシステム容量を示すことは容易に理解できるので、図1bに示すネットワーキングモードでは、通信システムのシステム容量が劇的に改善される。
【００３６】
図1bに示すセルラネットワーキングモードでは、1つの指向性アンテナが2つの方向にビームを生成することに留意されたい。別のセルラネットワーキングモードでは、1つの指向性アンテナは、3つまたは4つの方向のビームなど、2つ以上の方向のビームを生成することができる。本発明はこれに限定されるものではない。この場合、1つの指向性アンテナは、3つのセル、4つのセル、またはそれ以上のセルをカバーすることができる。同様に、各セルの送信帯域幅がa MHzである例を用いる。この場合、1つの指向性アンテナのカバレッジエリアの送信帯域幅は、3a MHzまたは4a MHzであり、図1aに示す1つのアンテナのカバレッジエリアの送信帯域幅（a MHz）の3倍、4倍、またはそれ以上である。すなわち、図1bに示すネットワーキングモードと比較して、通信システムのシステム容量が大幅に改善される。
【００３７】
本発明のこの実施形態では、アンテナのカバレッジエリアは複数のセルに分割され、各セルは独自の送信帯域幅を有する。したがって、同一アンテナのカバレッジエリアでは、アンテナが使用できる総送信帯域幅が飛躍的に増大し、さらに、通信システムのシステム容量を劇的に向上させることができる。さらに、セルをカバーするビームは、ベースバンド信号を処理することによって指向される。したがって、本発明の実施形態は、既存の基地局アンテナ構造に基づいて実施することができ、アンテナシステムのハードウェアコストが増加しない。
【００３８】
以下に、特定の実施形態を参照して本発明をさらに説明する。
【００３９】
図2は、本発明の一実施形態による通信方法を示す。本方法は、基地局などの任意の適切な装置によって実行されてもよいが、本発明はこれに限定されない。本方法は、セルラ通信システムに適用できる。図2を参照すると、本方法は以下のステップを含む。
【００４０】
ステップS101：基地局は、第1のアンテナのカバレッジエリアを少なくとも2つのセルに分割する。
【００４１】
この実施形態では、各セルは、独自のセル識別子（例えば、物理セル識別子（Physical Cell Identifier、略して「PCI」））と周波数領域リソース（すなわち送信帯域幅）とを有する。
【００４２】
基地局は、少なくとも1つのアンテナを有する。アンテナは、指向性アンテナであってもよいし、無指向性アンテナであってもよい。アンテナが無指向性アンテナである場合、基地局は1つのアンテナを有し、またはアンテナが指向性アンテナである場合、基地局は少なくとも2つのアンテナを有し、例えば3つの120度指向性アンテナを有することができる。
【００４３】
第1のアンテナは、少なくとも1つのアンテナのうちのいずれか1つであり、アンテナのカバレッジエリア内のセルの時間周波数リソース上で搬送されるデータを送信するように構成される。
【００４４】
シャノン（shannon）定理によれば、データ伝送にはある程度の帯域幅と時間が必要である。帯域幅は周波数領域リソースであり、時間は時間領域リソースである。本発明のこの実施形態では、時間周波数リソースは、セルにおけるデータ送信に使用される無線リソースであり、時間領域と周波数領域の2つの次元で定義される。
【００４５】
周波数領域リソースは、チャネルリソースとして記述することができ、一般に、サービスチャネルリソースと制御チャネルリソースとに分類される。
【００４６】
ステップS102：基地局は、少なくとも2つのセルの時間周波数リソース上で搬送されたデータを第1のアンテナのチャネルにマッピングするために、少なくとも2つのセルの時間周波数リソース上で搬送されるデータに対してウェイト処理を実行する。
【００４７】
ステップS102により、2つのセルの時間周波数リソース上で搬送されるデータを送信するために使用されるビームに対してビーム形成を実行することができる。
【００４８】
ステップS103：基地局は、合成データを得るために、少なくとも2つのセルの時間周波数リソース上で搬送され、ウェイト処理後に得られたデータを合成する。
【００４９】
ステップS104：基地局は、第1のアンテナを用いて少なくとも2つの指向性ビームを送信し、少なくとも2つの指向性ビームは合成データを送信するために使用され、少なくとも2つの指向性ビームは異なる方向を有し、少なくとも2つの指向性ビームは少なくとも2つのセルと1対1に対応し、少なくとも2つの指向性ビームの方向は、前記基地局によって指向性ビームに対応するセル内の全端末の位置分布に従って向けられ、または、基地局は、第1のアンテナを使用することによって、1つの指向性ビームを送信し、ここで、指向性ビームは合成データを送信するために使用され、指向性ビームのビーム方向は、基地局によって、少なくとも2つのセル内の単一の端末の位置に従って向けられる。
【００５０】
例えば、セル内のすべての端末がセルの左側に位置し、別のセル内のすべての端末がセルの右側に位置する場合、第1のアンテナは2つの指向性ビームを送信し、一方の指向性ビームはセルの左側を向き、他方の指向性ビームは別のセルの右側を向く。端末が隣接する2つのセルの重複エリアに位置する場合、第1のアンテナは指向性ビームを送信し、指向性ビームは隣接する2つのセルの重複領域を指向する。
【００５１】
実施中、ステップS104は、
基地局によって、第1のアンテナを用いて少なくとも2つの指向性ビームを送信することをさらに含んでもよく、少なくとも2つの指向性ビームは合成データを送信するために使用され、少なくとも2つの指向性ビームは異なる方向を有し、少なくとも2つの指向性ビームは少なくとも2つのセルと1対1に対応し、少なくとも2つの指向性ビームは、対応するセル内の端末を指向し、例えば、2つのビームが2つのセルに対応する例が使用され、一方の指向性ビームがセルA内の端末aを使用し、他の指向性ビームがセルB内の端末bを指向する。
【００５２】
本発明のこの実施形態では、基地局は、異なる方向を有し、第1のアンテナによって送信される少なくとも2つのビームを用いて、少なくとも2つのセルのデータを送信する。第1のアンテナによって送信される少なくとも2つのビームは、第1のアンテナのカバレッジエリアを分割することによって得られる少なくとも2つのセルと1対1に対応する。これらのセルは、独自の送信帯域幅を有している。アンテナのカバレッジエリアについては、使用可能な総送信帯域幅が劇的に増加し、それによりネットワーク容量が改善される。さらに、セルをカバーするビームは、ベースバンド信号を処理することによって指向される。したがって、本発明の実施形態は、既存の基地局アンテナ構造に基づいて実施することができ、アンテナシステムのハードウェアコストが増加しない。さらに、基地局は、セル内の端末の実際の位置分布に従って、第1のアンテナが1つの指向性ビームまたは複数の指向性ビームを送信することを決定することができ、その実施は柔軟である。
【００５３】
図3は、本発明の一実施形態による別の通信方法を示す。図3に示す通信方法は、図2に示す通信方法のさらに具体的な説明である。この実施形態の方法は、図1bに示すネットワーキング構造に基づいて実施することができる。本実施形態では、具体的な説明として、アンテナが2つのセルをカバーする例を使用し、2つのセルは第1のセルと第2のセルである。当然、本発明はこれに限定されるものではない。図3を参照すると、本方法は以下のステップを含む。
【００５４】
ステップS201：基地局は、第1のアンテナのカバレッジエリアを2つのセルに分割する。
【００５５】
この実施形態では、各セルは、独自のセル識別子（例えば、物理セル識別子（Physical Cell Identifier、略して「PCI」））と周波数領域リソース（すなわち送信帯域幅）とを有する。
【００５６】
基地局は、少なくとも1つのアンテナを有する。アンテナは、指向性アンテナであってもよいし、無指向性アンテナであってもよい。アンテナが無指向性アンテナである場合、基地局は1つのアンテナを有し、またはアンテナが指向性アンテナである場合、基地局は少なくとも2つのアンテナを有し、例えば3つの120度指向性アンテナを有することができる。
【００５７】
第1のアンテナは、少なくとも1つのアンテナのうちのいずれか1つであり、アンテナのカバレッジエリア内のセルの時間周波数リソース上で搬送されるデータを送信するように構成される。
【００５８】
シャノン（shannon）定理によれば、データ伝送にはある程度の帯域幅と時間が必要である。帯域幅は周波数領域リソースであり、時間は時間領域リソースである。本発明のこの実施形態では、時間周波数リソースは、セルにおけるデータ送信に使用される無線リソースであり、時間領域と周波数領域の2つの次元で定義される。
【００５９】
周波数領域リソースは、チャネルリソースとして記述することができ、一般に、サービスチャネルリソースと制御チャネルリソースとに分類される。
【００６０】
以下では、具体的な説明の例としてLTEシステムを使用する。LTEシステムでは、制御チャネルリソースは、共通制御チャネルリソースとユーザ制御チャネルリソースを含む。共通制御チャネルリソースは、物理ブロードキャストチャネル（Physical Broadcast Channel、略して「PBCH」）、一次同期チャネル、二次同期チャネル、およびいくつかの物理ダウンリンク制御チャネル（Physical Downlink Control Channel、略して「PDCCH」）を主に含む。ユーザ制御リソースは、PDCCHおよび物理HARQインジケータチャネル（Physical Hybrid ARQ Indicator Channel、略して「PHICH」）を主に含む。当然、本発明はこれに限定されるものではない。別の通信システムでは、制御チャネルリソースはユーザチャネルリソースと区別されるだけであってもよく、制御チャネルリソースはそれ以上区別されない。
【００６１】
ステップS202：基地局は、2つのセルの時間周波数リソース上で搬送されたデータを第1のアンテナのチャネルにマッピングするために、2つのセルの時間周波数リソース上で搬送されるデータに対してウェイト処理を実行する。
【００６２】
ステップS202により、2つのセルの時間周波数リソース上で搬送されるデータを送信するために使用されるビームに対してビーム形成を実行することができる。
【００６３】
具体的には、ステップS202は、
基地局によって、時間周波数リソースから第1のアンテナの各チャネルにマッピングされたデータを得るために、各セルの時間周波数リソース上で搬送されたデータにセルの指向性ビームウェイトベクトルを乗算し、その結果、第1のアンテナが各セルの時間周波数リソース上で搬送されるデータを送信するとき、異なる方向を有する2つのビームが形成されること
を含んでもよい。
【００６４】
各セルの指向性ビームウェイトベクトルにおけるウェイト量は、アンテナのチャネル数と同じであり、各セルの指向性ビームウェイトベクトルにおけるウェイトは、アンテナのチャネルと1対1に対応して設定される。
【００６５】
実施中、指向性ビームウェイトベクトルは、指向性ビームの送信電力を制御するためにさらに使用され、送信電力は、ネットワーク重要性能インジケータ（Key Performance Indicator、略して「KPI」）に従って設定される。KPIは、セル内の端末分布、サービスタイプ、トラフィック負荷などを含む。指向性ビームが最適なカバレッジおよび最適な容量利得を達成できるように、指向性ビームの送信電力はKPIに従って決定され、さらに、送信電力に対応する指向性ビームウェイトベクトルが決定される。
【００６６】
さらに、基地局によって、時間周波数リソースから第1のアンテナの各チャネルにマッピングされたデータを取得するために、各セルの時間周波数リソース上で搬送されたデータにセルの指向性ビームウェイトベクトルを乗算することは、
基地局によって、各セルの時間周波数リソース上で搬送されたデータにセルのセルビームウェイトベクトルを乗算し、セルビームウェイトベクトルは、対応するセル（の一部またはすべて）をカバーする指向性ビームを形成するために使用されるか、または
基地局によって、各セルの時間周波数リソースブロック上で搬送されたデータにセルのサービスビームウェイトベクトルを乗算し、サービスビームウェイトベクトルは、セル内の端末に向けられた指向性ビームを形成するために使用されること
を含んでもよい。
【００６７】
セルビームウェイトベクトルは、基本アレイ指向性パターン、ビーム方向、主ローブ幅、サイドローブ抑圧などのアンテナのインジケータに従って生成されるので、複数の独立したビームが、アンテナを使用することによって相補的カバレッジエリアにおいて形成できる。実施中、セルビームウェイトベクトルの決定は、アンテナのインジケータに従って調整することができる。本発明はこれに限定されるものではない。具体的には、2つのセルのセルビームウェイトベクトルを互いに直交させて、2つのセルをカバーするビーム間のコヒーレンシが極端に小さくなり、すなわちビーム間の重複部分が小さくなるようにしてもよい。
【００６８】
サービスビームウェイトベクトルは、セル内の時間周波数領域リソースが割り当てられた端末のチャネルの特徴分解によって得られたビームウェイトであり、またはサービスビームウェイトベクトルは、セル内の時間周波数領域リソースが割り当てられた端末によってフィードバックされたウェイトコードブックである。
【００６９】
以下では、2つのセルのセルビームウェイトベクトルを設定することによって、2つのセルのブロードキャスト信号の指向性カバレッジの実施を説明するために、8チャネルアンテナを例として使用しています。一例としてLTEシステムを使用すると、時間周波数リソースは複数の時間周波数リソースブロックを含み、時間周波数リソースブロックはLTEシステムにおけるリソーススケジューリングの最小単位である。各時間周波数リソースブロック上のデータについては、以下の式に従ってウェイト処理を具体的に行うことができ、
【数１】
0006675618.tif 000002
ここで、（ns、k、l）は時間周波数リソースブロックのインデックスであり、nsはタイムスロットを表し、kはキャリアを表し、1はシンボルを表し、リソースブロックはインデックス（ns、k、l）を使用してユニークに識別でき、Yi（ns、k、l）は、時間周波数リソースブロック（ns、k、l）に対応するi番目のチャネルのデータを表し、nはセルラベルであり、Sector nはセルnを表し、
【数２】
0006675618.tif 000003
はセルnのポートmによって送信されるデータを表し（セルのポートは、セルの基準信号を送信するように構成された論理ポートを指す）、
【数３】
0006675618.tif 000004
および
【数４】
0006675618.tif 000005
は、セル0のビームウェイトを表し、
【数５】
0006675618.tif 000006
および
【数６】
0006675618.tif 000007
は、セル1のビームウェイトを表す。
【００７０】
各セルのビームウェイトベクトルにおけるウェイトは、アンテナのチャネルに対応する。ウェイト処理後に得られたデータがマッピングされるチャネルは、ウェイトに対応するチャネルである。上記の式に従って処理した後、第1のアンテナによって送信されたビームが図4aに示されている。図4aから、この場合、第1のアンテナが異なる方向を有する2つのビーム51および52を送信し、2つのビームが1つのセルを別々にカバーし、2つのビームの間に比較的小さな重なり部分があることがわかる。
【００７１】
同様に、端末を指向するビームを形成するために、ジョイント割り当て方式で割り当てられた時間周波数リソースと、独立割り当て方式で割り当てられた時間周波数リソースに対してウェイト処理する方法を、別々に記述するために例として8チャネルアンテナが使用される。
【００７２】
1．独立した割り当て方式で割り当てられた時間周波数リソース上で搬送されるデータに対して、独立したウェイト処理が実行され、
【数７】
0006675618.tif 000008
ここで、nsはタイムスロットを表し、kはキャリアを表し、1はシンボルを表し、リソースブロックはインデックス（ns、k、l）を用いてユニークに識別することができ、
【数８】
0006675618.tif 000009
は、セルX内の端末のデータストリームmに対応する時間周波数リソースブロック（ns、k、l）のデータを表し、Yi（ns、k、l）は、時間周波数リソースブロック（ns、k、l）に対応するi番目のチャネルのデータを表す。
【００７３】
2．ジョイント割り当て方式で割り当てられた時間周波数リソース上で搬送されるデータに対して、ジョイントウェイト処理が実行され、
【数９】
0006675618.tif 000010
ここで、nsはタイムスロットを表し、kはキャリアを表し、1はシンボルを表し、リソースブロックはインデックス（ns、k、l）を用いてユニークに識別することができ、
【数１０】
0006675618.tif 000011
は、セルn内の端末のデータストリームmに対応する時間周波数リソースブロック（ns、k、l）のデータを表し、Yi（ns、k、l）は、時間周波数リソースブロック（ns、k、l）に対応するi番目のチャネルのデータを表す。
【００７４】
アンテナによって送信されたビームを端末に向けるために、2つのセルにキャンプオンする端末にビームを向けるために使用されるウェイトベクトル（すなわち、サービスビームウェイトベクトル）は、実際の要件に従って設定されてもよい。特定の実施は、当業者には周知であり、本発明では詳細に説明しない。
【００７５】
ステップS202の前に、この実施形態の方法は、2つのセルの時間周波数リソースを基地局によって割り当てるステップをさらに含んでもよいことが容易にわかる。
【００７６】
時間周波数リソース割り当ては、時間周波数リソース上で搬送されるデータを決定することを指す。
【００７７】
具体的には、基地局によって、2つのセルの時間周波数リソースを割り当てることは、以下のいずれかの方法で実施されてもよく、
2つのセルの時間周波数リソースに対して独立スケジューリングを別々に実行し（以下、略して独立スケジューリングと呼ぶ）、または
2つのセルの同じ時間周波数リソースを使用して同じデータを搬送するか、または2つのセルの同じ時間周波数リソースのうちの1つを使用してデータを搬送し、ここで、2つのセルの同じ時間周波数リソースにおける別の時間周波数リソースはデータを搬送しない（以下、略してジョイントスケジューリング）。
【００７８】
独立スケジューリングとは、セルの時間周波数リソースを、セルにキャンプオンする端末またはセルに割り当てることであり、異なるセル間のリソーススケジューリングは互いに影響しない。例えば、第1のセルのデータを搬送するために、基地局は、第1のセルの時間周波数リソースを第1のセルに割り当て、第2のセルのデータを搬送するために、基地局は、第2のセルの時間周波数リソースを第2のセルに割り当てる。
【００７９】
ジョイントスケジューリングは、2つのセルの同じ時間周波数リソースを同じ端末に割り当てることを意味する（2つのセルのうちの1つにキャンプオンする端末は容易にわかる）。例えば、第1のセルおよび第2のセルについては、第1のセルと第2のセルの重複エリアに端末Aが位置する。この場合、第1のセルおよび第2のセルの時間周波数リソースはすべて端末Aに割り当てられ、第1のセルおよび第2のセルの時間周波数リソースは、端末Aに送信されるデータを運ぶためにすべて使用される。
【００８０】
代替的に、ジョイントスケジューリングは、同じ時間周波数リソースについて、2つのセル内の1つのセルのみが時間周波数リソースを使用し、他のセルは時間周波数リソースを使用しないことを示す。例えば、第1のセルおよび第2のセルについては、第1のセルと第2のセルの重複エリアに端末Aが位置する。この場合、第1のセルの時間周波数リソースは、端末Aに割り当てられ、端末Aに送信されるデータを搬送するために使用され、第2のセルの時間周波数リソースは使用されない。
【００８１】
通常、ジョイントスケジューリングは、2つのセルの重複エリアにある端末にリソースを割り当てるために使用され、2つの隣接セルの重複カバレッジエリア内の端末間のチャネル干渉を低減することができる。理想的な場合には、2つのセルに極端に小さい重複エリアが存在するか、または重複エリアがないことが容易にわかる。この場合、制御チャネルリソースは、独立割り当て方式でのみ割り当てられてもよい。
【００８２】
ステップS203：基地局は、合成データを得るために、2つのセルの時間周波数リソース上で搬送され、ウェイト処理後に得られたデータを合成する。
【００８３】
この実施形態では、周波数間干渉調整のスケジューリング効果を達成するために、2つのセルは同じ周波数帯域を使用してもよいし、2つのセルが非重複の周波数帯域を使用してもよい。
【００８４】
さらに、2つのセルが比重複周波数帯域を使用する場合、2つのセルの動作周波数帯域は、以下の2つの方法で設定することができる。
【００８５】
第1の方法：異なるセルは異なる周波数を使用する。図4bに示すように、基地局2は3つの指向性アンテナを備え、各指向性アンテナは2つのセルに対応する。1つのセルが使用する周波数はf0であり、他のセルが使用する周波数はf1である。さらに、隣接セルは異なる周波数を使用する。
【００８６】
第2の方法：周波数帯域の組が設定される。周波数帯域の組は、複数の異なる周波数帯を含み、基地局は、設定された周波数帯域の組からセル用にセルが使用する周波数帯を動的に選択する。
【００８７】
ステップS203は以下の方式で実施されてもよく、
2つのセルが同じ周波数帯域を使用する場合、同じ周波数のデータを次の式に従って処理し、（s1＋s2＋．．．＋Sn）＊ejw0t、ここで、nは第1のアンテナによってカバーされるセルの量を表し、n≧2、S1〜Snは全セルからの信号を表し、w0はS1〜Snの周波数情報であり、ejw0tは周波数がw0であるキャリアに信号が変調されていることを表すか、または、
2つのセルが非重複の周波数帯域を使用する場合、異なる周波数のデータを次の式に従って処理し、S1＊ejw1t＋S2＊ejw2t＋．．．＋Sn＊ejw3t、ここで、nは第1のアンテナによってカバーされるセルの量を表し、S1〜Snは全セルからの信号を表し、w1はS1の周波数情報であり、w2はS2の周波数情報であり、．．．、wnはSnの周波数情報であり、ejwntは周波数がwnであるキャリアに信号が変調されていることを表す。
【００８８】
また、ステップS203の具体的な実施方法において、ステップS203は、
各セルのフレームデータを得るために、各セルの時間周波数リソース上で搬送されるデータをセル単位内のフレームに別々に合成し、
2つのセルのフレームデータに対して電力正規化和処理を行うこと
を含んでもよい。
【００８９】
より具体的には、この具体的な実施方法では、まず、上記ステップS202に従って、対応するアンテナチャネルにデータをマッピングするために、各セルのデータに対してウェイト処理を個別に行う。次に、各セルの各チャネルのフレームデータを得るために、各チャネルにマッピングされたデータを別々にフレームに合成する。次に、各セルの各チャネルの得られたフレームデータに対して高速フーリエ逆変換（Inverse Fast Fourier Transform、略して「IFFT」）処理を行う。最後に、同一チャネル上のIFFT処理後に得られるフレームデータに対して電力正規化和処理を行い、中間無線周波数処理を行った後、アンテナを用いてフレームデータをエアインタフェースに放射する。
【００９０】
なお、この実施方法は、複数のセルが同じ周波数帯域を使用する場合に適用可能であることに留意されたい。電力正規化和処理には、電力正規化処理と和処理の2つの処理が含まれる。2つの処理の間の順序は、この実施形態では限定されない。まず、正規化処理を行った後、和処理を行うか、あるいは和処理を行った後、正規化処理を行うようにしてもよい。
【００９１】
この実施方法では、過度に高いデジタルドメイン電力によって引き起こされる遠隔無線ユニットの過度の電力を回避するために、データに対して電力正規化処理が実行される。
【００９２】
また、ステップS203の他の具体的な実施方法において、ステップS203は、
2つのセルのフレームデータを得るために、2つのセルの時間周波数リソース上で搬送されるデータをチャネル単位でフレームに同時に合成すること
を含んでもよい。
【００９３】
本実施形態では、まず、上記ステップS202に従って、対応するアンテナチャネルにデータをマッピングするために、各セルのデータに対してウェイト処理を行う。次に、2つのセルのフレームデータを得るために、2つのセルから同じアンテナチャネルにマッピングされたデータがフレームに合成される。最後に、2つのセルのフレームデータに対してIFFT処理および中間無線周波数処理を行い、次にアンテナを用いてフレームデータをエアインタフェースに放射する。
【００９４】
この実施方法は、複数のセルが同じ周波数帯域を使用する場合に適用可能である。
【００９５】
この場合、ステップS203は、具体的には、以下を含む。
【００９６】
また、ステップS203のさらに別の具体的な実施方法において、ステップS203は、
各セルのフレームデータを得るために、各セルの時間周波数リソース上で搬送されるデータをフレームに別々に合成し、
各セルのフレームデータを搬送する時間周波数リソースに対して周波数変換および合成処理を行うこと
を含んでもよい。
【００９７】
具体的には、まず、上記S202に従って、対応するアンテナチャネルにマッピングするために、各セルのデータに対してウェイト処理を別々に行う。次に、各セルの各チャネルのフレームデータを得るために、各チャネルにマッピングされたデータを別々にフレームに合成する。そして、各セルの各チャネルの得られたフレームデータに対してIFFT処理を別々に行い、IFFT処理後に得られた2つのセルのフレームデータに対して中間周波数マルチキャリア合成処理を行う。最後に、中間周波数マルチキャリア合成処理後に得られたフレームデータに対して無線周波数処理を行い、次にアンテナを用いてフレームデータをエアインタフェースに放射する。中間周波数マルチキャリア合成処理とは、2つのセルのキャリアをアップコンバートし、次にアップコンバートされたキャリアを合成することを指す。この合成は、出力のために異なる周波数帯域の信号を合成することを指す。
【００９８】
この実施方法は、2つのセルが非重複の周波数帯域を使用する場合に適用可能である。
【００９９】
ステップS204：基地局は、第1のアンテナを用いて2つの指向性ビームを送信し、ここで、少なくとも2つの指向性ビームは合成データを送信するために使用され、2つの指向性ビームは異なる方向を有し、2つの指向性ビームは2つのセルと1対1に対応し、または、基地局は、第1のアンテナを使用することによって、1つの指向性ビームを送信し、ここで、指向性ビームは合成データを送信するために使用され、指向性ビームのビーム方向は、基地局によって、少なくとも2つのセル内の単一の端末の位置に従って向けられる。
【０１００】
基地局が第1のアンテナを用いて2つのビームを送信する場合、少なくとも2つの指向性ビームの方向は、指向性ビームに対応するセルの全端末の位置分布に従って基地局によって向けられてもよいし、指向性ビームに対応するセル内の単一の端末の位置分布に従って、基地局によって向けられてもよい。
【０１０１】
また、アンテナがセルビームウェイトベクトルを用いてウェイト処理後のデータを送信する場合、形成された2つの指向性ビームがそれぞれ対応するセルをカバーするか、対応するセルの部分的エリア（中央部、左側、右側など）をカバーし、この場合、指向性ビームは、指向性ビームに対応するセル内のすべての端末の位置分布に従って向けられる。アンテナがサービスビームウェイトベクトルを用いてウェイト処理後に得られた上記データを送信する場合、形成された2つの指向性ビームは、それぞれ対応するセル内の端末に向けられ、この場合、指向性ビームは、指向性ビームに対応するセル内の単一の端末の位置分布に従って向けられる。
【０１０２】
ステップS205：基地局は、第1のアンテナを用いて信号を受信する。ステップS205は任意のステップである。
【０１０３】
ステップS206：2つのセルの受信データを得るために、基地局は、第1のアンテナの全チャネルによって受信した信号を処理する。ステップS206は任意のステップである。
【０１０４】
本発明のこの実施形態では、基地局は、異なる方向を有し、第1のアンテナによって送信される少なくとも2つのビームを用いて、少なくとも2つのセルのデータを送信する。第1のアンテナによって送信される少なくとも2つのビームは、第1のアンテナのカバレッジエリアを分割することによって得られる少なくとも2つのセルと1対1に対応する。これらのセルは、独自の送信帯域幅を有している。アンテナのカバレッジエリアについては、使用可能な総送信帯域幅が劇的に増加し、それによりネットワーク容量が改善される。さらに、セルをカバーするビームは、ベースバンド信号を処理することによって指向される。したがって、本発明の実施形態は、既存の基地局アンテナ構造に基づいて実施することができ、アンテナシステムのハードウェアコストが増加しない。さらに、基地局は、セル内の端末の実際の位置分布に従って、第1のアンテナが1つの指向性ビームまたは複数の指向性ビームを送信することを決定することができ、その実施は柔軟である。
【０１０５】
図5は、本発明の一実施形態によるさらに別の通信方法を示す。図5に示すように、この方法は以下を含む。
【０１０６】
ステップS301：基地局は、第2のアンテナのカバレッジエリアを少なくとも2つのセルに分割する。
【０１０７】
基地局は、少なくとも1つのアンテナを有する。アンテナは、指向性アンテナであってもよいし、無指向性アンテナであってもよい。アンテナが無指向性アンテナである場合、基地局は1つのアンテナを有し、またはアンテナが指向性アンテナである場合、基地局は少なくとも2つのアンテナを有し、例えば3つの120度指向性アンテナを有することができる。第2のアンテナは、少なくとも1つのアンテナのうちのいずれか1つであり、アンテナのカバレッジエリア内のセルの時間周波数リソース上で搬送されるデータを受信するように構成される。
【０１０８】
図2または図3に示された実施形態にある第2のアンテナおよび第1のアンテナは、同じアンテナであってもよい。
【０１０９】
ステップS302：基地局は、第2のアンテナを用いて信号を受信する。
【０１１０】
ステップS303：2つのセルの受信データを得るために、基地局は、第2のアンテナの全チャネルによって受信した信号を処理する。
【０１１１】
ステップS303は、
セル単位内の前記基地局によって、第2のアンテナの全チャネルによって受信された信号に対して単一セル処理を実行し、
基地局によって、第2のアンテナの全チャネルによって受信された信号に対して少なくとも2つのセルの処理を同時に実行すること
を含んでもよい。
【０１１２】
セル単位内の基地局によって、第2のアンテナの全チャネルによって受信された信号に対して単一セル処理を実行することは、
各セルの受信データを得るために、基地局によって、各セルのリソース割り当てパラメータを用いて、第2のアンテナの全チャネルによって受信された信号を別々に処理すること
を含む。例えば、第1のセルの受信データを取得するために、基地局は、第1のセルのリソース割り当てパラメータを用いて、全チャネルで受信した信号を処理し、次に第2のセルの受信データを得るために、基地局は、第2のセルのリソース割り当てパラメータを用いて、全チャネルで受信した信号を再度処理する。セルのリソース割り当てパラメータは、セルの時間周波数リソース割り当ての割り当て状況を示すために使用される。単一セル処理は、隣接するセルがそれぞれのセル内の端末に同じ時間周波数リソースを割り当てる場合に適用可能である。
【０１１３】
基地局は、全セルのリソース割り当てパラメータを用いて、第2のアンテナの全チャネルで受信された信号に対してジョイント検出処理を行う。ジョイント検出処理は、セルの受信データを得るために、基地局が、すべてのセルのリソース割り当てパラメータを用いて、第2のアンテナの全チャネルで受信した信号を同時に処理することを示す。例えば、第1のセルおよび第2のセルの受信データを得るために、第1のセルのリソース割り当てパラメータと第2のセルのリソース割り当てパラメータを用いて、全チャネルで受信した信号を同時に処理する。このジョイント処理は、隣接するセルがそれぞれのセル内の端末に同じ時間周波数リソースを割り当てる場合や、隣接するセル内の1つのセルのみの端末が時間周波数リソースを使用する場合に適用することができる。実施時には、干渉抑制合成技術を用いてジョイント検出処理を実施してもよい。
【０１１４】
なお、本実施形態における第2のアンテナと、図2または図3に示す実施形態における第1のアンテナとは、同一のアンテナであってもよいし、独立した異なるアンテナであってもよい。
【０１１５】
本発明のこの実施形態では、基地局は、第2のアンテナを使用して少なくとも2つのセルの信号を受信する。これらのセルは、独自の送信帯域幅を有している。アンテナのカバレッジエリアについては、使用可能な総送信帯域幅が劇的に増加し、それによりネットワーク容量が改善される。さらに、基地局は、少なくとも2つのセルの受信データを得るために、第2のアンテナによって受信された信号をユニークに処理することができ、適用性が広い。
【０１１６】
図6は、本発明の一実施形態による通信装置を示す。通信装置は、基地局であってもよい。図6に示すように、通信装置は、
基地局の第1のアンテナのカバレッジエリアを少なくとも2つのセルに分割し、基地局は少なくとも1つのアンテナを有し、第1のアンテナは少なくとも1つのアンテナのうちのいずれか1つであり、少なくとも2つのセルの時間周波数リソース上で搬送されるデータを第1のアンテナのチャネルにマッピングするために、少なくとも2つのセルの時間周波数リソース上で搬送されるデータに対してウェイト処理を実行し、合成データを得るために、少なくとも2つのセルの時間周波数リソース上で搬送され、ウェイト処理後に得られたデータを合成するように構成された処理モジュール401と、
第1のアンテナを用いて、少なくとも2つの指向性ビームを送信し、少なくとも2つの指向性ビームは合成データを送信するために使用され、少なくとも2つの指向性ビームは異なる方向を有し、少なくとも2つの指向性ビームは少なくとも2つのセルと1対1に対応し、少なくとも2つの指向性ビームのビーム方向は、指向性ビームに対応するセル内の全端末の位置分布に従って向けられ、または、第1のアンテナを使用することによって、1つの指向性ビームを送信し、ここで、指向性ビームは合成データを送信するために使用され、指向性ビームのビーム方向は、少なくとも2つのセル内の単一の端末の位置に従って向けられるように構成された送信モジュール402と
を含む。
【０１１７】
実施中、送信モジュール402は、さらに第1のアンテナを用いて少なくとも2つの指向性ビームを送信するようにさらに構成されてもよく、少なくとも2つの指向性ビームは合成データを送信するために使用され、少なくとも2つの指向性ビームは異なる方向を有し、少なくとも2つの指向性ビームは少なくとも2つのセルと1対1に対応し、少なくとも2つの指向性ビームは、対応するセル内の端末を指向し、例えば、2つのビームが2つのセルに対応する例が使用され、一方の指向性ビームがセルA内の端末aを使用し、他の指向性ビームがセルB内の端末bを指向する。
【０１１８】
本発明のこの実施形態では、基地局は、異なる方向を有し、第1のアンテナによって送信される少なくとも2つのビームを用いて、少なくとも2つのセルのデータを送信する。第1のアンテナによって送信される少なくとも2つのビームは、第1のアンテナのカバレッジエリアを分割することによって得られる少なくとも2つのセルと1対1に対応する。これらのセルは、独自の送信帯域幅を有している。アンテナのカバレッジエリアについては、使用可能な総送信帯域幅が劇的に増加し、それによりネットワーク容量が改善される。さらに、セルをカバーするビームは、ベースバンド信号を処理することによって指向される。したがって、本発明の実施形態は、既存の基地局アンテナ構造に基づいて実施することができ、アンテナシステムのハードウェアコストが増加しない。さらに、基地局は、セル内の端末の実際の位置分布に従って、第1のアンテナが1つの指向性ビームまたは複数の指向性ビームを送信することを決定することができ、その実施は柔軟である。
【０１１９】
図7は、本発明の実施形態による別の通信装置を示す。通信装置は、基地局であってもよい。図7に示すように、通信装置は、
基地局の第1のアンテナのカバレッジエリアを少なくとも2つのセルに分割し、基地局は少なくとも1つのアンテナを有し、第1のアンテナは少なくとも1つのアンテナのうちのいずれか1つであり、少なくとも2つのセルの時間周波数リソース上で搬送されるデータを第1のアンテナのチャネルにマッピングするために、少なくとも2つのセルの時間周波数リソース上で搬送されるデータに対してウェイト処理を実行し、合成データを得るために、少なくとも2つのセルの時間周波数リソース上で搬送され、ウェイト処理後に得られたデータを合成するように構成された処理モジュール501と、
第1のアンテナを用いて、少なくとも2つの指向性ビームを送信し、少なくとも2つの指向性ビームは処理モジュール501によって得られた合成データを送信するために使用され、少なくとも2つの指向性ビームは異なる方向を有し、少なくとも2つの指向性ビームは少なくとも2つのセルと1対1に対応し、少なくとも2つの指向性ビームのビーム方向は、指向性ビームに対応するセル内の全端末の位置分布に従って向けられ、または、第1のアンテナを使用することによって、1つの指向性ビームを送信し、ここで、指向性ビームは処理モジュール501によって得られた合成データを送信するために使用され、指向性ビームのビーム方向は、少なくとも2つのセル内の単一の端末の位置に従って向けられるように構成された送信モジュール502と
を含む。
【０１２０】
この実施形態の実施方法では、処理モジュール501は、時間周波数リソースから第1のアンテナの各チャネルにマッピングされたデータを得るために、各セルの時間周波数リソース上で搬送されたデータにセルの指向性ビームウェイトベクトルを乗算するように特に構成されてもよい。
【０１２１】
具体的には、処理モジュール501は、
各セルの時間周波数リソース上で搬送されたデータにセルのセルビームウェイトベクトルを乗算し、セルビームウェイトベクトルは、対応するセルをカバーする、または対応するセルの一部のエリアをカバーする指向性ビームを形成するために使用され、あるいは
各セルの時間周波数リソースブロック上で搬送されたデータにセルのサービスビームウェイトベクトルを乗算し、サービスビームウェイトベクトルは、セル内の端末に向けられた指向性ビームを形成するために使用されるように特に構成されてもよい。
【０１２２】
選択的に、サービスビームウェイトベクトルは、セル内の時間周波数領域リソースが割り当てられた端末のチャネルの特徴分解によって得られたビームウェイトであってもよく、またはサービスビームウェイトベクトルは、セル内の時間周波数領域リソースが割り当てられた端末によってフィードバックされたウェイトコードブックであってもよい。
【０１２３】
選択的に、指向性ビームウェイトベクトルは、指向性ビームの送信電力を制御するためにさらに使用されてもよく、送信電力は、ネットワーク重要性能インジケータに従って決定される。
【０１２４】
この実施形態の別の実施方法では、少なくとも2つのセルが同じ周波数帯域を使用してもよく、または少なくとも2つのセルが非重複の周波数帯域を使用してもよい。
【０１２５】
この実施形態のさらに別の実施方法において、処理モジュール501は、
少なくとも2つのセルが同じ周波数帯域を使用する場合、同じ周波数のデータを次の式に従って処理し、（s1＋s2＋．．．＋Sn）＊ejw0t、ここで、nは第1のアンテナによってカバーされるセルの量を表し、n≧2、S1〜Snは全セルからの信号を表し、w0はS1〜Snの周波数情報であり、または
少なくとも2つのセルが非重複の周波数帯域を使用する場合、異なる周波数のデータを次の式に従って処理し、S1＊ejw1t＋S2＊ejw2t＋．．．＋Sn＊ejwnt、ここで、nは第1のアンテナによってカバーされるセルの量を表し、n≧2、S1〜Snは全セルからの信号を表し、w1はS1の周波数情報であり、w2はS2の周波数情報であり、．．．、wnはSnの周波数情報であることを表す
ように特に構成されてもよい。
【０１２６】
本発明のこの実施形態では、基地局は、異なる方向を有し、第1のアンテナによって送信される少なくとも2つのビームを用いて、少なくとも2つのセルのデータを送信する。第1のアンテナによって送信される少なくとも2つのビームは、第1のアンテナのカバレッジエリアを分割することによって得られる少なくとも2つのセルと1対1に対応する。これらのセルは、独自の送信帯域幅を有している。アンテナのカバレッジエリアについては、使用可能な総送信帯域幅が劇的に増加し、それによりネットワーク容量が改善される。さらに、セルをカバーするビームは、ベースバンド信号を処理することによって指向される。したがって、本発明の実施形態は、既存の基地局アンテナ構造に基づいて実施することができ、アンテナシステムのハードウェアコストが増加しない。さらに、基地局は、セル内の端末の実際の位置分布に従って、第1のアンテナが1つの指向性ビームまたは複数の指向性ビームを送信することを決定することができ、その実施は柔軟である。
【０１２７】
図8は、本発明の一実施形態によるさらに別の通信装置を示す。図8に示すように、通信装置は、
第2のアンテナを用いて信号を受信するように構成される受信モジュール601と、
処理モジュール602であって、第2のアンテナのカバレッジエリアを少なくとも2つのセルに分割し、基地局は少なくとも1つのアンテナを有し、第2のアンテナは少なくとも1つのアンテナのうちのいずれか1つであり、少なくとも2つのセルの受信データを得るために、第2のアンテナの全チャネルによって受信された信号を処理するように構成された、処理モジュール602と
を含む。
【０１２８】
この実施形態では、処理モジュール602は、セル単位において、第2のアンテナの全チャネルによって受信された信号に対して単一セル処理を別々に実行し、または第2のアンテナの全チャネルで受信した信号に対してジョイント検出処理を同時に実行するように特に構成される。
【０１２９】
本発明のこの実施形態では、基地局は、第2のアンテナを使用して少なくとも2つのセルの信号を受信する。これらのセルは、独自の送信帯域幅を有している。アンテナのカバレッジエリアについては、使用可能な総送信帯域幅が劇的に増加し、それによりネットワーク容量が改善される。さらに、基地局は、少なくとも2つのセルの受信データを得るために、第2のアンテナによって受信された信号をユニークに処理することができ、適用性が広い。
【０１３０】
図9は、本発明の実施形態によるさらに別の通信装置を示す。通信装置は、基地局またはBBUなどの基地局の一部であってもよい。図9に示すように、基地局700は、少なくとも1つのアンテナ701と、無線周波数モジュール702（遠隔無線ユニット（Radio Remote Unit、略してRRU）または無線周波数ユニット（Radio Frequency Unit、略してRFU））と、ベースバンドユニット（Building Base band Unit、略してBBU）703とを含む。BBU703は無線周波数モジュール702に接続され、無線周波数モジュール702はケーブルを用いてアンテナ701に接続される。ダウンリンク方向において、BBU703は、ベースバンド信号を無線周波数モジュール702に出力する。無線周波数モジュール702は、ベースバンド信号を中間周波数信号に変換し、次に中間周波数信号を無線周波数信号に変換する。その後、無線周波数信号は、電力増幅ユニット（例えば、無線周波数電力増幅器）を用いて増幅される。最後に、増幅された無線周波数信号は、アンテナ701を用いて送信される。アップリンク方向では、端末からの無線周波数信号は、アンテナ701を用いて無線周波数モジュール702に送信される。無線周波数モジュール702は、まず無線周波数信号を増幅し、無線周波数信号を中間周波信号に変換し、中間周波数信号をベースバンド信号に変換して、ベースバンド信号をBBU703に出力する。
【０１３１】
具体的には、無線周波数モジュール702は、デジタル中間周波数合成モジュールと、デジタル／アナログコンバータ（Digital to Analog Converter、略してDAC）と、トランシーバモジュールと、多重キャリア電力増幅器（Multiple Carrier Power Amplifier、略してMCPA）モジュールとを含んでもよい。BBU703は、マルチパスデジタルベースバンド信号をデジタル中間周波数合成モジュールに送信する。デジタル中間周波数合成モジュールは、デジタル中間周波数信号を得るために、デジタル中間周波数技術を使用することによって、処理されたマルチパスデジタルベースバンド信号に対して周波数変換および合成処理を実行する。DACは、デジタル中間周波数信号に対してデジタル／アナログ変換を行い、デジタル中間周波数信号をトランシーバモジュールに出力する。トランシーバモジュールは、中間周波数信号から無線周波数信号への変換を完了する。MCPAは、トランシーバモジュールによって実行された変換後に得られた無線周波数信号を増幅し、増幅した無線周波数信号を送信のためにアンテナ701に出力する。
【０１３２】
この実施形態では、BBU703は、通信インタフェース704、プロセッサ705、メモリ706、および通信バス707を含む。
【０１３３】
通信バス707は、プロセッサ705、メモリ706、および通信インタフェース704の間の接続および通信を実施するように構成される。
【０１３４】
通信インタフェース704は、プロセッサ705と（無線周波数モジュール702またはアンテナ701などの）別のモジュールとの間の通信接続を実施し、同軸ケーブルなどを使用することができる。
【０１３５】
メモリ706は、ソフトウェアプログラムおよびアプリケーションモジュールを格納するように構成することができる。メモリ706に格納されたソフトウェアプログラムおよびアプリケーションモジュールを実行することにより、プロセッサ705は装置の様々な機能アプリケーションおよびデータ処理を実行する。メモリ706は、主に、プログラム記憶エリアおよびデータ記憶エリアを含んでもよく、プログラム記憶エリアは、オペレーティングシステム、少なくとも1つの機能によって必要とされるアプリケーションプログラム（第1のアンテナのカバレッジエリアを少なくとも2つのセルに分割するなど）などを格納することができ、データ記憶エリアは、装置の使用に応じて作成されるデータ（少なくとも2つのセルの時間周波数リソース上で搬送され、基地局によって合成されるデータなど）などを格納することができる。さらに、メモリ706は、高速RAM（Random Access Memory、ランダムアクセスメモリ）を含むことができ、例えば、少なくとも1つの磁気ディスク記憶コンポーネント、フラッシュメモリコンポーネントなどの不揮発性メモリ（non−volatile memory）、または別の揮発性ソリッドステート記憶コンポーネントをさらに含むことができる。
【０１３６】
プロセッサ705は、基地局700の制御センターである。装置全体の様々な部分を接続するために、様々なインタフェースおよびラインが使用される。メモリ706に記憶されているソフトウェアプログラムおよび／またはアプリケーションモジュールを実行または動作し、メモリ706に記憶されたデータを呼び出すことにより、プロセッサ705は、基地局700の各種機能およびデータ処理を実行し、基地局700に対する全体的な監視を行う。
【０１３７】
具体的には、メモリ706に格納されたソフトウェアプログラムおよび／またはアプリケーションモジュールを実行または実行または動作し、メモリ706に格納されたデータを呼び出すことによって、プロセッサ705は、基地局の第1のアンテナのカバレッジエリアを少なくとも2つのセルに分割し、基地局は少なくとも1つのアンテナを有し、第1のアンテナは少なくとも1つのアンテナのうちのいずれか1つであり、少なくとも2つのセルの時間周波数リソース上で搬送されるデータを第1のアンテナのチャネルにマッピングするために、少なくとも2つのセルの時間周波数リソース上で搬送され分割によって得られたデータに対してウェイト処理を実行し、合成データを得るために、少なくとも2つのセルの時間周波数リソース上で搬送され、ウェイト処理後に得られたデータを合成し、第1のアンテナを用いて、少なくとも2つの指向性ビームを送信し、少なくとも2つの指向性ビームは合成データを送信するために使用され、少なくとも2つの指向性ビームは異なる方向を有し、少なくとも2つの指向性ビームは少なくとも2つのセルと1対1に対応し、少なくとも2つの指向性ビームのビーム方向は指向性ビームに対応するセル内の全端末の位置分布に従って向けられ、または、第1のアンテナを使用することによって、1つの指向性ビームを送信し、ここで、指向性ビームは合成データを送信するために使用され、指向性ビームのビーム方向は、少なくとも2つのセル内の単一の端末の位置に従って向けてもよい。
【０１３８】
さらに、プロセッサ705は、時間周波数リソースから第1のアンテナの各チャネルにマッピングされたデータを得るために、各セルの時間周波数リソース上で搬送されたデータにセルの指向性ビームウェイトベクトルを乗算してもよい。
【０１３９】
さらに、プロセッサ705は、各セルの時間周波数リソース上で搬送されたデータにセルのセルビームウェイトベクトルを乗算し、セルビームウェイトベクトルは、対応するセルをカバーする、または対応するセルの一部のエリアをカバーする指向性ビームを形成するために使用されてもよく、あるいは各セルの時間周波数リソースブロック上で搬送されたデータにセルのサービスビームウェイトベクトルを乗算し、サービスビームウェイトベクトルは、セル内の端末に向けられた指向性ビームを形成するために使用されてもよい。
【０１４０】
サービスビームウェイトベクトルは、セル内の時間周波数領域リソースが割り当てられた端末のチャネルの特徴分解によって得られたビームウェイトであってもよく、またはサービスビームウェイトベクトルは、セル内の時間周波数領域リソースが割り当てられた端末によってフィードバックされたウェイトコードブックであってもよい。
【０１４１】
指向性ビームウェイトベクトルは、指向性ビームの送信電力を制御するためにさらに使用されてもよく、送信電力は、ネットワーク重要性能インジケータに従って決定される。
【０１４２】
選択的に、少なくとも2つのセルが同じ周波数帯域を使用してもよく、または少なくとも2つのセルが非重複の周波数帯域を使用してもよい。
【０１４３】
さらに、プロセッサ705は、少なくとも2つのセルが同じ周波数帯域を使用する場合、同じ周波数のデータを次の式に従って処理し、（s1＋s2＋．．．＋Sn）＊ejw0t、ここで、nは第1のアンテナによってカバーされるセルの量を表し、n≧2、S1〜Snは全セルからの信号を表し、w0はS1〜Snの周波数情報であり、ejw0tは周波数がw0であるキャリアに信号が変調されていることを表すか、または、少なくとも2つのセルが非重複の周波数帯域を使用する場合、異なる周波数のデータを次の式に従って処理し、S1＊ejw1t＋S2＊ejw2t＋．．．＋Sn＊ejwnt、ここで、nは第1のアンテナによってカバーされるセルの量を表し、n≧2、S1〜Snは全セルからの信号を表し、w1はS1の周波数情報であり、w2はS2の周波数情報であり、．．．、wnはSnの周波数情報であり、ejwntは周波数がwnであるキャリアに信号が変調されていることを表す。
【０１４４】
別の実施形態では、プロセッサ705は、第2のアンテナのカバレッジエリアを少なくとも2つのセルに分割し、基地局は少なくとも1つのアンテナを有し、第2のアンテナは少なくとも1つのアンテナのうちのいずれか1つであり、第2のアンテナを使用して信号を受信し、少なくとも2つのセルの受信データを得るために、第2のアンテナの全チャネルによって受信された信号を処理してもよい。
【０１４５】
また、プロセッサ705は、セル単位において、第2のアンテナの全チャネルによって受信された信号に対して単一セル処理を別々に実行し、または第2のアンテナの全チャネルで受信した信号に対してジョイント検出処理を同時に実行してもよい。
【０１４６】
この実施形態の例では、命令を含む非一時的コンピュータ可読記憶媒体、例えば命令を含むメモリ706がさらに提供される。命令は、前述の方法を完了させるために、基地局700のプロセッサ705によって実行されてもよい。例えば、非一時的コンピュータ可読記憶媒体は、ROM、ランダムアクセスメモリ（RAM）、CD−ROM、テープ、フロッピーディスク、光データ記憶装置などであってもよい。
【０１４７】
非一時的コンピュータ可読記憶媒体が提供される。記憶媒体内の命令が基地局のプロセッサによって実行される場合、基地局は、図2、図3または図5の少なくとも1つに対応する実施形態の方法を実行することができる。
【０１４８】
本発明の前述の実施形態のシーケンス番号は、単に説明のためのものであり、実施形態の優先順位を示すことを意図するものではない。
【０１４９】
なお、上記実施の形態で示した通信装置で実施される通信の際には、説明のための例として上記機能モジュールの分割が使用されることに留意されたい。実際の応用では、上述の機能を異なる機能モジュールに割り当てて要件に応じて実施することが可能であり、つまり、上述した機能の全部または一部を実施するために、装置の内部構造を異なる機能モジュールに分割する。また、上記実施形態で提供される通信装置および通信方法の実施形態は、同様の概念に属する。特定の実施プロセスについては、方法の実施形態を参照し、詳細はここでは再度説明しない。
【０１５０】
当業者は、実施形態のステップのすべてまたは一部が、ハードウェアまたは関連するハードウェアを指示するプログラムによって実施され得ることを理解することができる。プログラムは、コンピュータ可読記憶媒体に格納されてもよい。記憶媒体は、読み出し専用メモリ、磁気ディスク、または光ディスクを含むことができる。
【０１５１】
以上の説明は、本発明の実施形態の単なる例示であって、本発明を限定するものではない。本発明の趣旨および原理から逸脱することなくなされた任意の修正、等価の置換および改良は、本発明の保護範囲内に入るものとする。
【符号の説明】
【０１５２】
1  基地局
1a  指向性アンテナ
1b  指向性アンテナ
1c  指向性アンテナ
2  基地局
4  基地局
10  六角形
11a  セル
11b  セル
51  ビーム
52  ビーム
401  処理モジュール
402  送信モジュール
501  処理モジュール
502  送信モジュール
601  受信モジュール
602  処理モジュール
700  基地局
701  アンテナ
702  無線周波数モジュール
704  通信インタフェース
705  プロセッサ
706  メモリ
707  通信バス
【図１ａ】
0006675618.tif 000012
【図１ｂ】
0006675618.tif 000013
【図２】
0006675618.tif 000014
【図３】
0006675618.tif 000015
【図４ａ】
0006675618.tif 000016
【図４ｂ】
0006675618.tif 000017
【図５】
0006675618.tif 000018
【図６】
0006675618.tif 000019
【図７】
0006675618.tif 000020
【図８】
0006675618.tif 000021
【図９】
0006675618.tif 000022